(57)【要約】【課題】冊子原稿の見開きページに対応する出力用ページを容易に一方ページに対応する出力用ページと他方ページに対応する出力用ページとに分割することが可能な画像形成装置を提供する。【解決手段】画像形成装置は、冊子原稿の読み取りで得られた画像データのうち見開きページの画像を含む領域を切取領域に設定し、画像データのうち一方ページに対応する領域と他方ページに対応する領域とを区切る境界線を設定し、画像データから切り取った切取領域を境界線の一方側領域と他方側領域とに分割し、一方側領域の分割画像データを配した第１出力用ページと他方側領域の分割画像データを配した第２出力用ページとを生成する。【選択図】図１１
2019129432.tif 000002
【特許請求の範囲】
【請求項１】
コンタクトガラス上にセットされた冊子原稿の見開きページを読み取る画像読取部と、
前記画像読取部による読み取りで得られた画像データに基づき出力用ページを生成する制御部と、を備え、
前記制御部は、前記画像データのうち前記見開きページの画像が存在する原稿領域を全て含む領域を切取領域に設定し、前記画像データのうち前記見開きページの一方ページに対応する領域と前記見開きページの他方ページに対応する領域とを区切る境界線を設定し、前記画像データから切り取った前記切取領域を前記境界線の一方側領域と前記境界線の他方側領域とに分割し、前記一方側領域の分割画像データを配した第１出力用ページと前記他方側領域の分割画像データを配した第２出力用ページとを前記出力用ページとして生成することを特徴とする画像形成装置。
【請求項２】
前記冊子原稿を読み取るジョブの開始指示および終了指示をユーザーから受け付ける操作パネルを備え、
前記制御部は、前記操作パネルが前記開始指示を受け付けてから前記終了指示を受け付けるまでの間に前記画像読取部が複数回の読み取りを行った場合、前記複数回の読み取りのうち所定回数目の読み取りで得られた前記画像データに基づき前記出力用ページを生成するときには、前記所定回数目の読み取りで得られた前記画像データに基づき前記切取領域および前記境界線を設定し、前記複数回の読み取りのうち前記所定回数目の読み取り以外の読み取りで得られた前記画像データに基づき前記出力用ページを生成するときには、前記所定回数目の読み取りで得られた前記画像データに基づき設定した前記切取領域と同一位置の領域を前記所定回数目の読み取り以外の読み取りで得られた前記画像データから切り取り、当該切り取った領域を前記所定回数目の読み取りで得られた前記画像データに基づき設定した前記境界線と同一位置の線に沿って分割することを特徴とする請求項１に記載の画像形成装置。
【請求項３】
前記冊子原稿を読み取るジョブの開始指示および終了指示をユーザーから受け付ける操作パネルを備え、
前記制御部は、前記操作パネルが前記開始指示を受け付けてから前記終了指示を受け付けるまでの間に前記画像読取部が複数回の読み取りを行った場合、前記複数回の読み取りで得られた複数の前記画像データのそれぞれごとに前記切取領域および前記境界線を設定することを特徴とする請求項１に記載の画像形成装置。
【請求項４】
前記切取領域は、一方の対辺が主走査方向に平行で他方の対辺が副走査方向に平行な２組の対辺を有する四角形の領域であり、
前記制御部は、前記画像データの４辺のうち、前記主走査方向に平行な辺の１つを第１基準辺に設定するとともに、前記副走査方向に平行な辺の１つを第２基準辺に設定し、
前記制御部は、前記画像データに存在する前記原稿領域の４角の位置を認識し、前記４角のうち前記第１基準辺に最も近い角の位置と前記第１基準辺から最も離れた角の位置との間の前記副走査方向の距離を第１距離として求めるとともに、前記４角のうち前記第２基準辺に最も近い角の位置と前記第２基準辺から最も離れた角の位置との間の前記主走査方向の距離を第２距離として求め、
前記制御部は、前記原稿領域を全て含み、かつ、前記主走査方向に平行な前記対辺の間隔が前記第１距離となり前記副走査方向に平行な前記対辺の間隔が前記第２距離となる前記四角形の領域を前記切取領域に設定することを特徴とする請求項１〜３のいずれか１項に記載の画像形成装置。
【請求項５】
前記主走査方向および前記副走査方向の一方がページ配列方向に設定され、
前記ページ配列方向に前記一方ページおよび前記他方ページが並ぶように前記冊子原稿を前記コンタクトガラス上にセットするよう予め定められており、
前記制御部は、前記切取領域の前記ページ配列方向の中心を前記ページ配列方向と直交する方向に通過する線を前記境界線に設定することを特徴とする請求項４に記載の画像形成装置。
【請求項６】
前記冊子原稿を読み取るジョブの開始指示および終了指示をユーザーから受け付けるとともに、読取間隔をユーザーから受け付ける操作パネルを備え、
前記制御部は、前記操作パネルが前記開始指示を受け付けてから前記終了指示を受け付けるまでの間、前記画像読取部による読み取りを前記操作パネルが受け付けた前記読取間隔で繰り返し行わせることを特徴とする請求項１〜５のいずれか１項に記載の画像形成装置。
【請求項７】
画像を表示する操作パネルを備え、
前記制御部は、前記出力用ページに対応するプレビュー画像を生成し、前記プレビュー画像を前記操作パネルに表示させることを特徴とする請求項１〜６のいずれか１項に記載の画像形成装置。
【請求項８】
前記操作パネルは、前記プレビュー画像の指定をユーザーから受け付けるとともに、削除指示および回転指示をユーザーから受け付け、
前記制御部は、前記操作パネルが前記削除指示を受け付けた場合、ユーザー指定の前記プレビュー画像に対応する前記出力用ページを削除し、前記操作パネルが前記回転指示を受け付けた場合、ユーザー指定の前記プレビュー画像に対応する前記出力用ページを回転させることを特徴とする請求項７に記載の画像形成装置。
【発明の詳細な説明】
【技術分野】
【０００１】
本発明は、原稿を読み取る画像読取部を備えた画像形成装置に関する。
【背景技術】
【０００２】
従来、原稿を読み取る画像読取部を備えた画像形成装置が知られている。このような画像形成装置には、コンタクトガラスが設けられる。そして、画像形成装置は、コンタクトガラス上にセットされた原稿を読み取って原稿の画像データを生成する。
【０００３】
たとえば、冊子原稿（書籍など）の見開きページの一方ページおよび他方ページの読み取りを画像形成装置に行わせる場合には、まず、ユーザーは一方ページをコンタクトガラス上にセットした状態で画像形成装置に読み取りを行わせ、その後、ユーザーは他方ページをコンタクトガラス上にセットした状態で画像形成装置に読み取りを行わせる。これにより、見開きページに対応する出力用ページを一方ページの画像データが配された第１出力用ページと他方ページの画像データが配された第２出力用ページとに分割することができる。その結果、一方ページおよび他方ページの各画像を別々の用紙に印刷したり、一方ページおよび他方ページの各画像を別々に表示したりすることができる。
【０００４】
ここで、画像形成装置による一方ページの読み取りが終わった後、他方ページの読み取りを画像形成装置に行わせるとき、通常、ユーザーは見開きページを１８０°回転させて他方ページをコンタクトガラス上にセットする。このため、他方ページの画像データは一方ページの画像データに対して１８０°回転した状態となる。すなわち、一方ページに対応する第１出力用ページおよび他方ページに対応する第２出力用ページにそれぞれ配された各画像データの向きが揃っていない状態となる。
【０００５】
そこで、特許文献１の画像形成装置では、書籍スキャンモードが準備される。特許文献１の画像形成装置は、書籍スキャンモードを有効にする旨の設定がなされているとき、冊子原稿の見開きページの一方ページ（左側ページ）を読み取ったか他方ページ（右側ページ）を読み取ったかを判断する。そして、特許文献１の画像形成装置は、他方ページを読み取った場合、他方ページの画像データを１８０°回転させる。
【先行技術文献】
【特許文献】
【０００６】
【特許文献１】特開２００５−１１７６６６号公報
【発明の概要】
【発明が解決しようとする課題】
【０００７】
特許文献１の画像形成装置では、冊子原稿の見開きページに対応する出力用ページを第１出力用ページと第２出力用ページとに分割したい場合、ユーザーは一方ページをコンタクトガラス上にセットして画像形成装置に読み取りを行わせた後、他方ページをコンタクトガラス上にセットして画像形成装置に読み取りを行わせなければならない。すなわち、冊子原稿をコンタクトガラス上にセットする作業を何回も行わなければならない。したがって、ユーザーにとっては利便性が悪い。
【０００８】
本発明は、上記課題を解決するためになされたものであり、冊子原稿の見開きページに対応する出力用ページを容易に一方ページに対応する第１出力用ページと他方ページに対応する第２出力用ページとに分割することが可能な画像形成装置を提供することを目的とする。
【課題を解決するための手段】
【０００９】
上記目的を達成するため、本発明の画像形成装置は、コンタクトガラス上にセットされた冊子原稿の見開きページを読み取る画像読取部と、画像読取部による読み取りで得られた画像データに基づき出力用ページを生成する制御部と、を備える。制御部は、画像読取部による読み取りで得られた画像データのうち見開きページの画像が存在する原稿領域を全て含む領域を切取領域に設定し、画像データのうち見開きページの一方ページに対応する領域と見開きページの他方ページに対応する領域とを区切る境界線を設定し、画像読取部による読み取りで得られた画像データから切り取った切取領域を境界線の一方側領域と境界線の他方側領域とに分割し、一方側領域の分割画像データを配した第１出力用ページと他方側領域の分割画像データを配した第２出力用ページとを出力用ページとして生成する。
【００１０】
本発明の構成では、冊子原稿の見開きページの読み取りを２ページ分まとめて画像形成装置に行わせると、見開きページに対応する出力用ページとして第１出力用ページと第２出力用ページとが生成される。第１出力用ページは見開きページの一方ページに対応する出力用ページであり、第２出力用ページは見開きページの他方ページに対応する出力用ページである。これにより、冊子原稿の見開きページの読み取りを画像形成装置に１回行わせるだけで（冊子原稿をコンタクトガラス上にセットする作業を何回も行わなくても）、冊子原稿の見開きページに対応する出力用ページを一方ページに対応する第１出力用ページと他方ページに対応する第２出力用ページとに分割することができる。
【発明の効果】
【００１１】
本発明の構成では、容易に、冊子原稿の見開きページに対応する出力用ページを一方ページに対応する第１出力用ページと他方ページに対応する第２出力用ページとに分割することができる。
【図面の簡単な説明】
【００１２】
【図１】本発明の一実施形態による画像形成装置の構成を示す概略図
【図２】本発明の一実施形態による画像形成装置の画像読取部の構成を示す図
【図３】本発明の一実施形態による画像形成装置の画像読取部に冊子原稿がセットされたときの原稿カバーの状態を示す図
【図４】本発明の一実施形態による画像形成装置の画像読取部に冊子原稿がセットされた状態を装置正面から見た場合の図
【図５】本発明の一実施形態による画像形成装置の構成を示すブロック図
【図６】本発明の一実施形態による画像形成装置の操作パネルに表示されるブックスキャン画面を示す図
【図７】本発明の一実施形態による画像形成装置の制御部がブックスキャンジョブの開始以降に行う処理の流れを説明するためのフローチャート
【図８】本発明の一実施形態による画像形成装置の制御部が行う切取領域設定処理について説明するための図
【図９】本発明の一実施形態による画像形成装置の画像読取部にセットされた冊子原稿の状態を示す図
【図１０】本発明の一実施形態による画像形成装置の制御部が行う境界線設定処理について説明するための図
【図１１】本発明の一実施形態による画像形成装置の制御部により行われる切取処理および分割処理によって得られる分割画像データについて説明するための図
【図１２】本発明の一実施形態による画像形成装置の制御部が分割画像データに対して行う画像処理（トリミング処理および回転処理）について説明するための図
【図１３】本発明の一実施形態による画像形成装置の制御部が分割画像データに対して行う画像処理（縮小処理）について説明するための図
【図１４】本発明の一実施形態による画像形成装置の制御部が行うページ生成処理（第１モード）について説明するためのフローチャート
【図１５】本発明の一実施形態による画像形成装置の制御部が行うページ生成処理（第２モード）について説明するためのフローチャート
【図１６】本発明の一実施形態による画像形成装置の操作パネルに表示される編集画面を示す図
【発明を実施するための形態】
【００１３】
＜画像形成装置の構成＞
図１に示すように、本実施形態の画像形成装置１００は、画像読取部１および印刷部２を備える。また、画像形成装置１００には、操作パネル３が設置される。
【００１４】
画像読取部１は、図２に示すように、コンタクトガラスＣＧを備える。コンタクトガラスＣＧは、画像読取部１の筐体１０の上面に形成された開口に設置される。画像読取部１は、コンタクトガラスＣＧ上にセットされた原稿Ｄを読み取る。
【００１５】
画像読取部１は、光源１１、イメージセンサー１２、ミラー１３およびレンズ１４を備える。これら画像読取部１の各部材は、画像読取部１の筐体１０の内部に収容される（コンタクトガラスＣＧの上面側とは反対の下面側に配置される）。
【００１６】
光源１１は、複数のＬＥＤ素子（図示せず）を有する。複数のＬＥＤ素子は、主走査方向（図２の紙面に対して垂直な方向）にライン状に配列される。光源１１は、コンタクトガラスＣＧに向けて光を照射する。コンタクトガラスＣＧに向かう光はコンタクトガラスＣＧを透過する。コンタクトガラスＣＧ上に原稿Ｄがセットされている場合には、コンタクトガラスＣＧを透過した光は原稿Ｄで反射される。
【００１７】
イメージセンサー１２は、主走査方向にライン状に並ぶ複数の光電変換素子を有する。イメージセンサー１２は、コンタクトガラスＣＧからの光を受光する。コンタクトガラスＣＧ上に原稿Ｄがセットされている場合には、原稿Ｄで反射された光がイメージセンサー１２に向かって進行する。イメージセンサー１２は、コンタクトガラスＣＧからの光を受光すると、ライン単位で画素毎に光電変換して電荷を蓄積するとともに、蓄積電荷に応じた信号を出力する。
【００１８】
ミラー１３は、コンタクトガラスＣＧからの光をレンズ１４に向けて反射する。レンズ１４は、ミラー１３で反射された光を集光し、イメージセンサー１２に導く。
【００１９】
光源１１およびミラー１３は、主走査方向と直交する副走査方向に移動可能な移動枠１５に設置される。移動枠１５はワイヤー１６に連結される。ワイヤー１６は巻取ドラム１７に巻回される。巻取ドラム１７が回転すると、移動枠１５が副走査方向に移動する。すなわち、光源１１およびミラー１３が副走査方向に移動する。
【００２０】
原稿Ｄの読み取りを伴うジョブでは、移動枠１５が副走査方向（正面から見て左から右に向かう方向）に移動する。移動枠１５が副走査方向に移動しているとき、光源１１がコンタクトガラスＣＧに向けて光を照射する。また、原稿Ｄで反射された反射光の光電変換をイメージセンサー１２が繰り返し行う。これにより、原稿Ｄの読み取りがライン単位で行われる。
【００２１】
また、図３に示すように、筐体１０には原稿カバー１０１が取り付けられる。原稿カバー１０１は、筐体１０の上面（コンタクトガラスＣＧの上面）に対して開閉する。原稿カバー１０１を開閉可能にするため、筐体１０の背面側に回転軸１０ａが設けられる。原稿カバー１０１は、筐体１０の回転軸１０ａに回動可能に支持される。図３では、原稿カバー１０１が閉じられた状態を上図に示し、原稿カバー１０１が開けられた状態を下図に示す。
【００２２】
原稿カバー１０１の開閉はユーザーが行う。通常では、原稿Ｄの読み取りを伴うジョブを画像形成装置１００に実行させるときに、コンタクトガラスＣＧ上に原稿Ｄをセットするため、ユーザーは原稿カバー１０１を開閉する開閉作業を行う。すなわち、原稿カバー１０１を開けた後、コンタクトガラスＣＧ上に原稿Ｄをセットしてから、原稿カバー１０１を閉じる作業がユーザーによって行われる。そして、原稿カバー１０１が閉じられた状態で、コンタクトガラスＣＧ上にセットされた原稿Ｄの読み取りが行われる。
【００２３】
ここで、原稿Ｄの読み取りを伴うジョブでは、書籍などの冊子原稿ＢＤがコンタクトガラスＣＧ上にセットされ得る。冊子原稿ＢＤを開いてコンタクトガラスＣＧ上にセットすると、図４に示すような状態となる。このため、読取対象が冊子原稿ＢＤの見開きページである場合には、原稿カバー１０１を閉じることができない（図３の下図参照）。したがって、冊子原稿Ｄの見開きページの読み取りは、原稿カバー１０１が開けられた状態で行われる。
【００２４】
図１に戻って、印刷部２は、用紙搬送路２０（図１では、破線矢印で示す）を備えるとともに、用紙搬送路２０に沿って用紙Ｐを搬送するための搬送ローラー対２１を複数備える。また、印刷部２は、給紙部２２、画像形成部２３および定着部２４を備える。
【００２５】
給紙部２２は、用紙カセットＣに収容された用紙Ｐを用紙搬送路２０に給紙する。用紙搬送路２０に給紙された用紙Ｐは転写ニップに向けて搬送される。
【００２６】
画像形成部２３は、感光体ドラム２３１および転写ローラー２３２を備える。また、図示しないが、画像形成部２３は、感光体ドラム２３１の周面を帯電させる帯電装置、感光体ドラム２３１の周面上に静電潜像を形成する露光装置、および、感光体ドラム２３１の周面上の静電潜像をトナー像に現像する現像装置などを備える。感光体ドラム２３１および転写ローラー２３２は、互いに圧接し、転写ニップを形成する。画像形成部２３は、転写ニップを通過する用紙Ｐにトナー像を転写し、定着ニップに向けて用紙Ｐを搬送する。
【００２７】
定着部２４は、加熱ローラー２４１および加圧ローラー２４２を備える。加熱ローラー２４１は、ヒーターを内蔵する。加圧ローラー２４２は、加熱ローラー２４１に圧接し、加熱ローラー２４１との間で定着ニップを形成する。定着部２４は、定着ニップを通過する用紙Ｐを加熱および加圧することによって用紙Ｐにトナー像を定着させ、排出トレイＥＴに向けて用紙Ｐを搬送する。
【００２８】
操作パネル３は、タッチスクリーン３１およびハードウェアボタン３２を含む。タッチスクリーン３１は、ソフトウェアボタンを配した設定画面を表示し、ユーザーから各種設定を受け付ける。ハードウェアボタン３２は、操作パネル３に複数設けられる。ハードウェアボタン３２としては、ジョブの開始指示をユーザーから受け付けるためのスタートボタンや、ジョブの終了指示をユーザーから受け付けるためのストップボタンなどがある。
【００２９】
また、図５に示すように、画像形成装置１００は、制御部４を備える。制御部４は、ＣＰＵ４１、メモリー４２、画像処理モジュール４３およびプレビュー画像生成モジュール４４を含む。ＣＰＵ４１は、制御用のプログラムおよびデータに基づき動作し、画像形成装置１００の各部を制御するための処理を行う。メモリー４２は、ＣＰＵ４１を動作させるための制御用のプログラムおよびデータを記憶する。
【００３０】
画像処理モジュール４３は、種々の画像処理を行うための専用回路やメモリーを含む。制御部４は、画像処理モジュール４３を用い画像処理を行う。たとえば、制御部４は、画像読取部１による読み取りによって得られた画像データに対して画像処理を行い、画像処理済みの画像データを配した出力用ページを生成する。そして、制御部４は、出力用ページを出力するためのページデータ（たとえば、ＰＤＦデータ）を生成する。
【００３１】
プレビュー画像生成モジュール４４は、プレビュー画像（プレビュー用の表示データ）を生成するプレビュー処理を行うための専用回路やメモリーを含む。制御部４は、プレビュー画像生成モジュール４４を用いてプレビュー処理を行う。たとえば、出力用ページをプレビューするためのプレビュー画像が制御部４により生成される。
【００３２】
画像読取部１は、制御部４に接続される。制御部４は、光源１１の点消灯動作やイメージセンサー１２の読取動作を制御する。また、制御部４は、巻取ドラム１７を回転させるための巻取モーター（図示せず）の駆動を制御する。制御部４は、巻取ドラム１７の回転と回転停止とを切り替え、光源１１およびミラー１３が装着された移動枠１５を副走査方向に適切に移動させる。
【００３３】
印刷部２は、制御部４に接続される。制御部４は、給紙部２２の給紙動作、画像形成部２３の画像形成動作および定着部２４の定着動作を制御する。
【００３４】
操作パネル３は、制御部４に接続される。制御部４は、タッチスクリーン３１の表示動作を制御する。また、制御部４は、タッチスクリーン３１（ソフトウェアボタン）に対して行われたタッチ操作を検知するとともに、ハードウェアボタン３２に対して行われた押下操作を検知する。
【００３５】
また、画像形成装置１００は、記憶部５を備える。記憶部５は、ＨＤＤやＲＯＭ（ＥＥＰＲＯＭなど）のような不揮発性の記憶デバイスを含む。記憶部５は、制御部４に接続される。制御部４は、記憶部５へのデータの書き込みや記憶部５からのデータの読み出しを行う。なお、記憶部５には、カスタムボックスと称される保存領域が設けられる。記憶部５のカスタムボックスには、後述するブックスキャンジョブの実行によって得られた出力用ページ（ＰＤＦデータ）が保存される。
【００３６】
＜ブックスキャンジョブ＞
（ブックスキャンジョブの設定）
画像形成装置１００には、ブックスキャン機能が搭載される。ブックスキャン機能を利用する旨の指示の受け付けは操作パネル３が行う。たとえば、図示しないが、操作パネル３は、ブックスキャンボタン（ソフトウェアボタン）を配したホーム画面を表示する。制御部４は、ブックスキャンボタンに対する操作を検知すると、図６に示すようなブックスキャン画面ＢＳを操作パネル３に表示させる。ブックスキャン画面ＢＳは、ブックスキャン機能に対応するジョブ（以下、ブックスキャンジョブと称する）の設定をユーザーから受け付けるための画面である。
【００３７】
ブックスキャン画面ＢＳには、読取間隔設定ボタンＢ１が配される。読取間隔設定ボタンＢ１は、ブックスキャンジョブの実行時における画像読取部１の読取間隔（Ｎ回目の読み取りの完了からＮ＋１回目の読み取りの開始までの時間）の設定をユーザーから受け付けるためのソフトウェアボタンであり、プラスボタンおよびマイナスボタンを含む。読取間隔設定ボタンＢ１を操作することにより、画像読取部１の読取間隔を任意に設定することができる。
【００３８】
読取間隔設定ボタンＢ１としてのプラスボタンを操作することにより、画像読取部１の読取間隔が長くなる。読取間隔設定ボタンＢ１としてのマイナスボタンを操作することにより、画像読取部１の読取間隔が短くなる。読取間隔設定ボタンＢ１に対する操作によって設定（入力）された読取間隔は表示欄Ｃ１に表示される。図６では、画像読取部１の読取間隔が４秒に設定された場合を図示する。
【００３９】
また、ブックスキャン画面ＢＳには、有効／無効設定ボタンＢ２が配される。有効／無効設定ボタンＢ２は、連続読取モードの有効／無効の設定をユーザーから受け付けるためのソフトウェアボタンである。有効／無効設定ボタンＢ２を操作し、連続読取モードを有効に設定することにより、ブックスキャンジョブの実行時にユーザー指定の読取間隔で画像読取部１による読み取りが繰り返される。連続読取モードが有効に設定された状態で有効／無効設定ボタンＢ２を操作することにより、連続読取モードを無効に設定することができる。たとえば、連続読取モードが有効に設定されているか無効に設定されているかで有効／無効設定ボタンＢ２の表示形態（表示色など）が変化する。
【００４０】
また、ブックスキャン画面ＢＳには、ページサイズ設定ボタンＢ３が配される。ページサイズ設定ボタンＢ３は、ブックスキャンジョブの実行によって得られる出力用ページのページサイズの設定をユーザーから受け付けるためのソフトウェアボタンである。ページサイズ設定ボタンＢ３を操作すると、出力用ページのページサイズを設定するためのページサイズ設定画面（図示せず）が操作パネル３に表示される。ページサイズ設定画面での設定が完了すると、操作パネル３の表示画面がブックスキャン画面ＢＳに戻る。このとき、ページサイズ設定ボタンＢ３の表示領域には、ページサイズ設定画面で設定したページサイズを示すテキストが表示される。図６では、出力用ページのページサイズがＡ４サイズに設定された場合を図示する。
【００４１】
また、ブックスキャン画面ＢＳには、ボックス設定ボタンＢ４が配される。ボックス設定ボタンＢ４は、ブックスキャンジョブの実行によって得られる出力用ページのページデータの保存先（カスタムボックス）の設定をユーザーから受け付けるためのソフトウェアボタンである。ボックス設定ボタンＢ４を操作すると、保存先を設定するためのボックス設定画面（図示せず）が操作パネル３に表示される。ボックス設定画面での設定が完了すると、操作パネル３の表示画面がブックスキャン画面ＢＳに戻る。このとき、ボックス設定ボタンＢ４の表示領域には、ボックス設定画面で設定した保存先を示すテキストが表示される。図６では、「Ｂｏｘ１」というカスタムボックスが保存先として設定された場合を図示する。
【００４２】
また、ブックスキャン画面ＢＳには、ファイル名設定ボタンＢ５が配される。ファイル名設定ボタンＢ５は、ブックスキャンジョブの実行によって得られる出力用ページのページデータのファイル名の設定をユーザーから受け付けるためのソフトウェアボタンである。ファイル名設定ボタンＢ４を操作すると、出力用ページのページデータのファイル名を設定するためのファイル名設定画面（図示せず）が操作パネル３に表示される。ファイル名設定画面での設定が完了すると、操作パネル３の表示画面がブックスキャン画面ＢＳに戻る。このとき、ファイル名設定ボタンＢ５の表示領域には、ファイル名設定画面で設定したファイル名を示すテキストが表示される。図６では、ファイル名が「Ｂｏｏｋ１」に設定された場合を図示する。
【００４３】
また、ブックスキャン画面ＢＳには、スタートボタンＳＢが配される。たとえば、スタートボタンＳＢの表示領域には、「ＣＯＮＴＩＮＵＥ」というテキストが表記される。スタートボタンＳＢは、ブックスキャンジョブの開始指示をユーザーから受け付けるためのソフトウェアボタンである。すなわち、ユーザーがスタートボタンＳＢを操作するときには、コンタクトガラスＣＧ上に冊子原稿ＢＤがセットされた状態となっている。
【００４４】
（ブックスキャンジョブの実行）
制御部４は、操作パネル３がブックスキャンジョブの開始指示（スタートボタンＳＢに対する操作）を受け付けたことを検知すると、連続読取モードの有効／無効の設定内容を認識する。また、制御部４は、連続読取モードが有効に設定されていれば、入力欄Ｃ１に入力されたユーザー指定の読取間隔を認識する。
【００４５】
連続読取モードが有効である場合、制御部４は、冊子原稿ＢＤの見開きページの読み取りをユーザー指定の読取間隔で連続して画像読取部１に行わせる。これにより、冊子原稿ＢＤの複数の見開きページの読み取りを画像形成装置１００に行わせたいユーザーからすると、冊子原稿ＢＤのページをめくって冊子原稿ＢＤをコンタクトガラスＣＧ上にセットするという原稿セット作業を繰り返すだけでよくなる（ブックスキャン画面ＢＳのスタートボタンＳＢを最初に操作して以降は操作パネル３に対する操作を行わなくてもよい）ので、利便性が良い。ただし、冊子原稿ＢＤの或る見開きページの読み取りが終わった後、ユーザー指定の読取間隔が経過するまでに、冊子原稿ＢＤのページをめくって冊子原稿ＢＤをコンタクトガラスＣＧ上に再セットする必要がある。
【００４６】
連続読取モードが無効である場合、制御部４は、冊子原稿ＢＤの見開きページの読み取りを画像読取部１に１回だけ行わせ、ブックスキャンジョブを一時中断する。そして、制御部４は、ブックスキャン画面ＢＳのスタートボタンＳＢに対する操作が再度行われたか否かを判断する。制御部４は、スタートボタンＳＢに対して再度操作が行われると、当該再度行われた操作をブックスキャンジョブの再開指示として検知し、冊子原稿ＢＤの見開きページの読み取りを画像読取部１に１回だけ再度行わせる（ブックスキャンジョブを再開する）。すなわち、制御部４は、ブックスキャンジョブの開始以降、画像読取部１による読み取りが１回終わるごとにブックスキャンジョブを中断し、ブックスキャンジョブの中断後、ブックスキャンジョブの再開指示を受けてブックスキャンジョブを再開する。これにより、ユーザーは自分のペースで原稿セット作業を行うことができる。
【００４７】
制御部４は、ブックスキャンジョブの開始以降、ブックスキャンジョブの終了指示を操作パネル３がユーザーから受け付けたか否かを判断する。たとえば、操作パネル３は、ハードウェアボタンとして設けられたストップボタンに対する操作を終了指示として受け付ける。なお、連続読取モードが有効である場合には、ブックスキャン画面ＢＳのスタートボタンＳＢに対する再操作が終了指示として受け付けられてもよい。
【００４８】
制御部４は、ブックスキャンジョブの終了指示を受け付けたと判断した場合、ブックスキャンジョブを終了する。そして、制御部４は、１回分のブックスキャンジョブで得られた画像データに対応する出力用ページのページデータを１ファイルにまとめ、当該ファイルを記憶部５に保存する。このとき、当該ファイルはユーザー指定のカスタムボックス（ボックス設定画面で設定したカスタムボックス）に保存される。また、当該ファイルにはユーザー指定のファイル名（ファイル名設定画面で設定したファイル名）が付与される。
【００４９】
なお、出力用ページのページデータが記憶部５のカスタムボックスに保存されて以降、出力用ページを用紙Ｐに印刷することができる。また、画像形成装置１００にユーザー端末（パーソナルコンピューターなど）が接続されている場合には、画像形成装置１００からユーザー端末に対し、出力用ページのページデータを送信することができる。
【００５０】
以下に、図７に示すフローチャートを参照し、ブックスキャンジョブの開始以降に制御部４が行う処理の流れについて説明する。図７に示すフローチャートは、ブックスキャン画面ＢＳのスタートボタンＳＢが操作されたことを制御部４が検知したときにスタートする。
【００５１】
ステップＳ１において、制御部４は、連続読取モードが有効に設定されているか否かを判断する。その結果、連続読取モードが有効に設定されていると制御部４が判断した場合には、ステップＳ２に移行する。
【００５２】
ステップＳ２に移行した場合、制御部４は、画像読取部１に１回分の読み取りを行わせる。そして、ステップＳ３において、制御部４は、画像読取部１による１回分の読み取りが完了してからの経過時間がユーザー指定の読取間隔（指定間隔）に到達したか否かを判断する。その結果、経過時間が指定間隔に到達したと制御部４が判断した場合には、ステップＳ２に移行する。一方で、経過時間が指定時間に到達していないと制御部４が判断した場合には、ステップＳ４に移行する。
【００５３】
ステップＳ４に移行すると、制御部４は、操作パネル３が終了指示を受け付けたか否かを判断する。その結果、終了指示を受け付けたと制御部４が判断した場合には、ステップＳ５に移行し、終了指示を受け付けていないと制御部４が判断した場合には、ステップＳ３に移行する。ステップＳ５に移行した場合、制御部４は、ブックスキャンジョブを終了する。
【００５４】
ステップＳ１において、連続読取モードが有効に設定されていない（無効に設定されている）と制御部４が判断した場合には、ステップＳ６に移行する。
【００５５】
ステップＳ６に移行した場合、制御部４は、画像読取部１に１回分の読み取りを行わせる。そして、ステップＳ７において、制御部４は、画像読取部１による１回分の読み取りが完了すると、ブックスキャン画面ＢＳのスタートボタンＳＢに対する操作が再度行われたか否かを判断する。その結果、スタートボタンＳＢに対する操作が再度行われたと制御部４が判断した場合には、ステップＳ６に移行する。一方で、スタートボタンＳＢに対する操作が再度行われていないと制御部４が判断した場合には、ステップＳ８に移行する。
【００５６】
ステップＳ８に移行すると、制御部４は、操作パネル３が終了指示を受け付けたか否かを判断する。その結果、終了指示を受け付けたと制御部４が判断した場合には、ステップＳ５に移行し、終了指示を受け付けていないと制御部４が判断した場合には、ステップＳ７に移行する。
【００５７】
（出力用ページの生成）
制御部４は、画像読取部１による読み取りで得られた画像データを処理対象として取得し、当該取得した処理対象の画像データに基づき、冊子原稿ＢＤの見開きページに対応する出力用ページを生成する。制御部４は、冊子原稿ＢＤの見開きページに対応する出力用ページを生成するページ生成処理の一処理として、切取処理および分割処理を行う。これにより、見開きページの一方ページに対応する第１出力用ページおよび見開きページの他方ページに対応する第２出力用ページが出力用ページとしてそれぞれ生成される（２ページ分の出力用ページが生成される）。制御部４は、切取処理および分割処理を行うため、切取領域設定処理および境界線設定処理を行う。
【００５８】
まず、図８を参照し、切取領域設定処理について説明する。以下の説明では、図８に示す画像データが処理対象として取得されたとする。
【００５９】
制御部４は、処理対象の画像データを取得すると、図８に示すように、処理対象の画像データから冊子原稿ＢＤの見開きページの画像が存在する原稿領域ＤＡを検出する。このとき、制御部４は、原稿領域ＤＡを検出するため、たとえば、処理対象の画像データに対してエッジ検出処理を行う。そして、制御部４は、処理対象の画像データのうち原稿領域ＤＡを全て含む領域を切取領域ＣＡに設定する。ここで、切取領域ＣＡは、一方の対辺が主走査方向に平行で他方の対辺が副走査方向に平行な２組の対辺を有する四角形（内角が全て直角の四角形）の領域である。図８では、原稿領域ＤＡをドット柄で示し、切取領域ＣＡを破線で示す。また、処理対象の画像データの４辺を太線で示し、処理対象の画像データのうち原稿外領域（原稿領域ＤＡ以外の領域）にハッチングを施す。以下の説明で参照する図１０についても同様である。
【００６０】
なお、ユーザーは冊子原稿ＢＤを開いてコンタクトガラスＣＧ上にセットするとき（図４参照）、平面的に見て冊子原稿ＢＤの表紙が傾かないようにする。しかし、冊子原稿ＢＤの表紙が傾いていなかったとしても、図９に示すように、冊子原稿ＢＤの見開きページの一部が傾いてしまう（図９では、コンタクトガラスＣＧ上にセットされた冊子原稿ＢＤを下方から見た場合を図示する）。この場合には、図８に示す例のように、原稿領域ＤＡが傾く。
【００６１】
また、冊子原稿ＢＤの製本形式によっては、冊子原稿ＢＤの見開きページの綴じ部（その近傍を含む）をコンタクトガラスＣＧに密着させることが困難な場合がある。この場合には、図８に示す例のように、冊子原稿ＢＤの見開きページの綴じ部とコンタクトガラスＣＧとの間の隙間によって生じる黒画像領域（当該領域のドット間隔を他の領域のドット間隔よりも狭くする）が原稿領域ＤＡの領域内に出現する。
【００６２】
制御部４は、処理対象の画像データに存在する原稿領域ＤＡを処理対象の画像データから全て切り取るため、原稿領域ＤＡよりも大きい領域を切取領域ＣＡに設定する。具体的には、制御部４は、原稿領域ＤＡの４角を検出するコーナー検出処理を行う。図８では、制御部４によるコーナー検出処理によって検出された４角に白抜き丸印を付す。特に限定されないが、Ｈａｒｒｉｓのコーナー検出方法を用いることにより、原稿領域ＤＡの４角を検出することができる。
【００６３】
また、制御部４は、処理対象の画像データの４辺のうち、主走査方向に平行な辺の１つを第１基準辺ＲＳ１に設定し、副走査方向に平行な辺の１つを第２基準辺ＲＳ２に設定する。さらに、制御部４は、第１基準辺ＲＳ１をＹ軸とし第２基準辺ＲＳ２をＸ軸とする直交座標系において、処理対象の画像データに存在する原稿領域ＤＡの４角の位置（座標）を認識する。
【００６４】
その後、制御部４は、原稿領域ＤＡの４角のうち第１基準辺ＲＳ１に最も近い角の位置と第１基準辺ＲＳ１から最も離れた角の位置との間の副走査方向の距離を第１距離Ｄ１として求めるとともに、原稿領域ＤＡの４角のうち第２基準辺ＲＳ２に最も近い角の位置と第２基準辺ＲＳ２から最も離れた角の位置との間の距離を第２距離Ｄ２として求める。そして、制御部４は、原稿領域ＤＡを全て含み、かつ、主走査方向に平行な対辺の間隔が第１距離Ｄ１となり副走査方向に平行な対辺の間隔が第２距離Ｄ２となる四角形の領域を切取領域ＣＡに設定する。
【００６５】
このような切取領域設定処理が制御部４により行われることによって、処理対象の画像データのうち原稿領域ＤＡを全て含む領域を切取領域ＣＡに設定することができる。すなわち、原稿領域ＤＡが切取領域ＣＡの領域外にはみ出すことはない。
【００６６】
次に、図１０を参照し、境界線設定処理について説明する。ここで、ブックスキャンジョブでは、主走査方向および副走査方向の一方がページ配列方向に設定される。そして、冊子原稿ＢＤの見開きページの一方ページおよび他方ページがページ配列方向に並ぶように冊子原稿ＢＤをコンタクトガラスＣＧ上にセットするよう予め定められている。たとえば、ホーム画面のブックスキャンボタンに対する操作が行われたときに、冊子原稿ＢＤのセット方法（ページ配列方向）を示すガイダンスが操作パネル３に表示されてもよい。
【００６７】
以下の説明では、ページ配列方向が副走査方向であるとする。この場合には、冊子原稿ＢＤをコンタクトガラスＣＧ上にセットするとき、ユーザーは見開きページの一方ページおよび他方ページが副走査方向に並ぶようにする。なお、ページ配列方向はユーザーが任意に設定することができてもよい。当該設定は操作パネル３が受け付ける。
【００６８】
制御部４は、切取領域設定処理が終わると、図１０に示すように、切取領域設定処理で設定した切取領域ＣＡのページ配列方向（副走査方向）の中心位置をページ配列方向と直交する方向（主走査方向）に通過する線を境界線ＢＬに設定する。言い換えると、制御部４は、処理対象の画像データのうち見開きページの一方ページに対応する領域と見開きページの他方ページに対応する領域とを区切る境界線ＢＬを設定する。
【００６９】
具体的には、制御部４は、第１基準辺ＲＳ１をＹ軸とし第２基準辺ＲＳ２をＸ軸とする直交座標系において、切取領域設定処理で設定した切取領域ＣＡの４角のうち、第１基準辺ＲＳ１に最も近い角のＸ軸方向（副走査方向）の座標値Ｘ１を認識するとともに、第１基準辺ＲＳ１から最も離れた角のＸ軸方向（副走査方向）の座標値Ｘ２を認識する。そして、制御部４は、座標値Ｘ２から座標値Ｘ１を引いた値の１／２の座標値Ｘａを求め、座標値ＸａをＹ軸方向（主走査方向）に通過する線を境界線ＢＬに設定する。
【００７０】
このような境界線設定処理が制御部４により行われることによって、切取領域ＣＡに存在する見開きページの一方ページの画像を含む領域と見開きページの他方ページの画像を含む領域との略境界に境界線ＢＬを設定することができる。
【００７１】
切取領域ＣＡおよび境界線ＢＬをそれぞれ設定した後、図１１に示すように、制御部４は、切取処理を行うことにより、処理対象の画像データから切取領域ＣＡを切り取る（図１１の上段図および中段図参照）。また、制御部４は、分割処理を行うことにより、処理対象の画像データから切り取った切取領域ＣＡの画像データ（切取画像データ）を境界線ＢＬの一方側領域Ａ１と境界線ＢＬの他方側領域Ａ２とに分割する（切取領域ＣＡを境界線ＢＬに沿って分割する）。
【００７２】
その後、制御部４は、一方側領域Ａ１および他方領域Ａ２の各分割画像データ（分割処理によって２つに分割された切取画像データ）のそれぞれに対し、予め定められた種々の画像処理を行う。以下、図１２を参照し、一方側領域Ａ１の分割画像データに対して画像処理が行われる場合について説明するが、他方側領域Ａ２の分割画像データに対しても同様の画像処理が行われる。
【００７３】
制御部４は、分割画像データに対してエッジ検出処理を行い、冊子原稿ＢＤの見開きページのエッジに対応するエッジ画像ＥＧを分割画像データから検出する。また、制御部４は、主走査方向に向かい合う一対のエッジ画像ＥＧの主走査方向または副走査方向に対する傾斜角度を認識する。そして、制御部４は、分割画像データに対して回転処理を行うことにより、主走査方向に向かい合う一対のエッジ画像ＥＧが副走査方向に対して略平行（主走査方向に対して略垂直）になるよう分割画像データを回転させる。
【００７４】
また、制御部４は、分割画像データに対してトリミング処理を行う。このとき、制御部４は、分割画像データに存在する黒画像領域を検出する（原稿外領域が黒画像領域として検出される）。冊子原稿ＢＤの見開きページの綴じ部とコンタクトガラスＣＧとの間に隙間が生じていた場合には、当該隙間に対応する領域が黒画像領域として検出される。そして、制御部４は、分割画像データのうち少なくとも黒画像領域を含む外縁領域（枠状の領域）をトリミングする。
【００７５】
図示しないが、分割画像データに対しては、他にも、画像のコントラストや明るさ、画像の歪みを調整する処理などが行われる。
【００７６】
一方側領域Ａ１および他方側領域Ａ２の各分割画像データに対して種々の画像処理を行った後、図１３に示すように、制御部４は、一方側領域Ａ１の分割画像データを配した第１出力用ページを生成するとともに、他方側領域Ａ２の分割画像データを配した第２出力用ページを生成する。このとき、制御部４は、ユーザー指定のページサイズ（ページサイズ設定画面で設定されたページサイズ）を認識し、分割画像データがユーザー指定のサイズのページに収まるように分割画像データを縮小する。
【００７７】
なお、分割画像データを縮小せず、分割画像データがユーザー指定のサイズのページに収まるよう分割画像データの外縁領域をトリミングしてもよい。また、ユーザー指定のページサイズに対して分割画像データのサイズが小さければ、分割画像データを拡大してもよい。
【００７８】
ここで、制御部４は、操作パネル３がブックスキャンジョブの開始指示を受け付けてからブックスキャンジョブの終了指示を受け付けるまでの間に画像読取部１が複数回の読み取りを行った場合、第１モードおよび第２モードのいずれかのページ生成モードでページ生成処理（出力用ページを生成する処理）を行う。第１モードでは、１回分のブックスキャンジョブに対して切取領域設定処理および境界線設定処理が１回ずつだけ行われる。第２モードでは、１回分のブックスキャンジョブで得られた複数の画像データのそれぞれごとに切取領域設定処理および境界線設定処理が行われる（切取領域設定処理および境界線設定処理がそれぞれ複数回（読取回数と同数）ずつ行われる）。
【００７９】
たとえば、ページ生成モードを第１モードにするか第２モードにするかの設定が予めユーザーにより行われる。当該設定は操作パネル３が受け付ける。制御部４は、ユーザー指定のページ生成モードでページ生成処理を行う。
【００８０】
なお、制御部４によるページ生成処理は、ブックスキャンジョブの終了後に行われる。第１モードでは、切取領域設定処理および境界線設定処理がそれぞれ１回ずつだけしか行われないので、ブックスキャンジョブの終了後、ユーザーは速やかに出力用ページを取得することができる。第２モードでは、切取領域設定処理および境界線設定処理がそれぞれ複数回ずつ行われるので、ブックスキャンジョブが終了してから出力用ページの生成が完了するまでの時間が第１モードよりも長くなる。
【００８１】
しかし、第２モードでは、ブックスキャンジョブで得られた複数の画像データのそれぞれごとに切取領域設定処理および境界線設定処理が行われるので、切取領域ＣＡや境界線ＢＬがずれるという不都合の発生を抑制することができる（原稿領域ＤＡから大きく外れた位置に切取領域ＣＡが設定されるという不都合や、原稿領域ＤＡの一方ページに対応する領域と他方ページに対応する領域との境界から大きく外れた位置に境界線ＢＬが設定されるという不都合が生じ難い）。
【００８２】
ページ生成モードが第１モードに設定されている場合、制御部４は、図１４に示すフローチャートに沿ってページ生成処理を行う。図１４に示すフローチャートは、ブックスキャンジョブの終了指示を受け付けたと制御部４が判断したときにスタートする。
【００８３】
ステップＳ１１において、制御部４は、画像読取部１が行った複数回の読み取りのうち所定回数目の読み取りで得られた画像データを処理対象として設定する。たとえば、１回目の読み取りで得られた画像データが処理対象に設定される。そして、ステップＳ１２において、制御部４は、処理対象の画像データに基づき、切取領域ＣＡおよび境界線ＢＬを設定する。
【００８４】
ステップＳ１３において、制御部４は、処理対象の画像データから切取領域ＣＡを切り取り、当該切り取った切取領域ＣＡを境界線ＢＬに沿って分割する（切取処理および分割処理を行う）。このようにして、制御部４は、一方側領域Ａ１の分割画像データと他方側領域Ａ２の分割画像データとを生成する。また、制御部４は、一方側領域Ａ１および他方側領域Ａ２の各分割画像データに対して、回転処理やトリミング処理など種々の画像処理を行う。そして、ステップＳ１４において、制御部４は、一方側領域Ａ１の画像処理済みの分割画像データを配した第１出力用ページおよび他方側領域Ａ２の画像処理済みの分割画像データを配した第２出力用ページをそれぞれ出力用ページ（処理対象の画像データに対応する出力用ページ）として生成する。
【００８５】
ステップＳ１５において、制御部４は、処理対象に未だ設定していない未処理の画像データ（対応する出力用ページを未だ生成していない画像データ）が残っているか否かを判断する。その結果、未処理の画像データが残っていると制御部４が判断した場合には、ステップＳ１６に移行し、未処理の画像データが残っていないと制御部４が判断した場合には、本フローが終了する。
【００８６】
ステップＳ１６に移行すると、制御部４は、未処理の画像データのいずれかを新たに処理対象に設定する。未処理の画像データが複数残っている場合には、たとえば、複数の未処理の画像データのうち、読取順が最も早い未処理の画像データが新たな処理対象に設定される。
【００８７】
ステップＳ１７において、制御部４は、所定回数目（１回目）の読み取りで得られた画像データに基づき設定した切取領域ＣＡと同一位置の領域を新たな処理対象の画像データから切り取り、当該切り取った領域を所定回数目の読み取りで得られた画像データに基づき設定した境界線ＢＬと同一位置の線に沿って分割する（既存の設定内容に基づく切取処理および既存の設定内容に基づく分割処理を行う）。そして、ステップＳ１８において、制御部４は、新たな処理対象の画像データに対応する出力用ページを生成する。その後、ステップＳ１５に移行する。
【００８８】
ページ生成モードが第２モードに設定されている場合、制御部４は、図１５に示すフローチャートに沿ってページ生成処理を行う。図１５に示すフローチャートは、ブックスキャンジョブの終了指示を受け付けたと制御部４が判断したときにスタートする。
【００８９】
ステップＳ２１において、制御部４は、画像読取部１が行った複数回の読み取りで得られた複数の画像データのいずれかを処理対象として設定する。そして、ステップＳ２２において、制御部４は、処理対象の画像データに基づき、切取領域ＣＡおよび境界線ＢＬを設定する。
【００９０】
ステップＳ２３において、制御部４は、処理対象の画像データから切取領域ＣＡを切り取り、当該切り取った切取領域ＣＡを境界線ＢＬに沿って分割する（切取処理および分割処理を行う）。そして、ステップＳ２４において、制御部４は、一方側領域Ａ１の画像処理済みの分割画像データを配した第１出力用ページおよび他方側領域Ａ２の画像処理済みの分割画像データを配した第２出力用ページをそれぞれ出力用ページ（処理対象の画像データに対応する出力用ページ）として生成する。
【００９１】
ステップＳ２５において、制御部４は、処理対象に未だ設定していない未処理の画像データ（対応する出力用ページを未だ生成していない画像データ）が残っているか否かを判断する。その結果、未処理の画像データが残っていると制御部４が判断した場合には、ステップＳ２１に移行し、未処理の画像データが残っていないと制御部４が判断した場合には、本フローが終了する。
【００９２】
ステップＳ２５からステップＳ２１に移行した場合、制御部４は、処理対象に未だ設定していない未処理の画像データのいずれかを新たに処理対象に設定する。新たな処理対象の設定後、ステップＳ２２に移行する。この場合、制御部４は、新たな処理対象の画像データに基づき、切取領域ＣＡおよび境界線ＢＬをそれぞれ設定する。そして、当該設定した切取領域ＣＡおよび境界線ＢＬに基づき、制御部４は、新たな処理対象の画像データに対して切取処理および分割処理をそれぞれ行う。
【００９３】
本実施形態の画像形成装置１００は、上記のように、コンタクトガラスＣＧ上にセットされた冊子原稿ＢＤの見開きページを読み取る画像読取部１と、画像読取部１による読み取りで得られた画像データに基づき出力用ページを生成する制御部４とを備える。制御部４は、処理対象の画像データのうち見開きページの画像が存在する原稿領域ＤＡを全て含む領域を切取領域ＣＡに設定し、処理対象の画像データのうち見開きページの一方ページに対応する領域と見開きページの他方ページに対応する領域とを区切る境界線ＢＬを設定し、処理対象の画像データから切り取った切取領域ＣＡを境界線ＢＬの一方側領域Ａ１と境界線ＢＬの他方側領域Ａ２とに分割し、一方側領域Ａ１の分割画像データを配した第１出力用ページと他方側領域Ａ２の分割画像データを配した第２出力用ページとを出力用ページとして生成する。
【００９４】
本実施形態の構成では、冊子原稿ＢＤの見開きページの読み取りを画像形成装置１００に行わせると、見開きページに対応する出力用ページとして第１出力用ページと第２出力用ページとが生成される。第１出力用ページは見開きページの一方ページに対応する出力用ページであり、第２出力用ページは見開きページの他方ページに対応する出力用ページである。これにより、冊子原稿ＢＤの見開きページの読み取りを画像形成装置１００に１回行わせるだけで（冊子原稿ＢＤをコンタクトガラスＣＧ上にセットする作業を何回も行わなくても）、冊子原稿ＢＤの見開きページに対応する出力用ページを一方ページに対応する出力用ページと他方ページに対応する出力用ページとに分割することができる。
【００９５】
なお、ブックスキャンジョブの終了後に制御部４によるページ生成処理が行われてもよいが、画像読取部１が冊子原稿ＢＤを読み取るごとに、そのときに得られた画像データに対応する出力用ページが制御部４により生成されてもよい。すなわち、ブックスキャンジョブの実行中に出力用ページが生成されてもよい。
【００９６】
また、ページ生成モードが第１モードに設定されている場合、所定回数目の読み取りで得られた画像データに対応する出力用ページの生成後、当該出力用ページに対応するプレビュー画像を操作パネル３に表示してもよい。これにより、当該出力用ページの仕上がり具合を確認することができるので、ユーザーにとっては利便性が良い。
【００９７】
＜出力用ページの編集＞
出力用ページのページデータ（ＰＤＦデータ）が記憶部５のカスタムボックスに保存されて以降、ユーザーは出力用ページのページデータの編集を行うことができる。出力用ページのページデータを編集する編集操作は操作パネル３がユーザーから受け付ける。画像形成装置１００に接続されたユーザー端末（パーソナルコンピューター）からでも、出力用ページのページデータの編集が行えてもよい。操作パネル３は、編集操作の受け付けに先立って、出力用ページのページデータを含むファイルを選択する選択操作をユーザーから受け付ける。
【００９８】
制御部４は、操作パネル３が選択操作を受け付けると、選択されたファイル（編集対象のファイル）に含まれる出力用ページに対応するプレビュー画像ＰＧ（図１６参照）を生成する。そして、制御部４は、編集操作を受け付ける画面として、図１６に示すような編集画面ＥＳを操作パネル３に表示させる。
【００９９】
編集画面ＥＳは、プレビュー領域ＰＡを含む。プレビュー画像ＰＧは、プレビュー領域ＰＡに表示される。プレビュー領域ＰＡに表示し切れない数のプレビュー画像ＰＧが存在する場合には、プレビュー領域ＰＡに対して所定操作（フリック操作など）を行うことにより、プレビュー領域ＰＡに表示されるプレビュー画像ＰＧを切り替えることができる。
【０１００】
制御部４は、いずれかのプレビュー画像ＰＧをタッチする操作が行われると、当該操作を指定操作として検知する。制御部４は、指定操作を検知した場合、指定操作を受けたプレビュー画像ＰＧに対応する出力用ページが編集対象として指定されたと判断する。なお、各プレビュー画像ＰＧにはチェックボックスＣＢが付される。そして、編集対象の出力用ページに対応するプレビュー画像ＰＧのチェックボックスＣＢにはチェックが入る。チェックボックスＣＢにチェックが入ったプレビュー画像ＰＧをタッチする操作を行うと、当該操作を受けたプレビュー画像ＰＧに対応する出力用ページが編集対象から外れる（チェックボックスＣＢのチェックが消える）。
【０１０１】
ここで、編集画面ＥＳには、消去ボタンＢ１１、回転ボタンＢ１２およびセーブボタンＢ１３が配される。
【０１０２】
消去ボタンＢ１１は、編集対象の出力用ページの消去指示をユーザーから受け付けるためのソフトウェアボタンである。制御部４は、いずれかの出力用ページが編集対象に指定された状態（当該出力用ページに対応するプレビュー画像ＰＧのチェックボックスＣＢにチェックが入った状態）で、消去ボタンＢ１１に対するタッチ操作である消去操作を検知すると、編集対象の出力用ページのページデータを消去候補に設定する（この時点では、編集対象の出力用ページのページデータは未だ消去されない）。このとき、編集対象の出力用ページに対応するプレビュー画像ＰＧがプレビュー領域ＰＡから消去される。
【０１０３】
回転ボタンＢ１２は、編集対象の出力用ページの回転指示をユーザーから受け付けるためのソフトウェアボタンである。制御部４は、いずれかの出力用ページが編集対象に指定された状態（当該出力用ページに対応するプレビュー画像ＰＧのチェックボックスＣＢにチェックが入った状態）で、回転ボタンＢ１２に対するタッチ操作である回転操作を検知すると、編集対象の出力用ページを回転候補に設定する（この時点では、編集対象の出力用ページは未だ回転されない）。このとき、編集対象の出力用ページに対応するプレビュー画像ＰＧが１８０°（または、９０°）だけ回転する。
【０１０４】
セーブボタンＢ１３は、編集操作（消去操作および回転操作）での編集の確定指示をユーザーから受け付けるためのソフトウェアボタンである。制御部４は、セーブボタンＢ１３に対するタッチ操作を確定指示として検知する。制御部４は、消去操作が行われた後、確定指示を検知すると、消去操作の対象となったプレビュー画像ＰＧに対応する出力用ページのページデータを消去する。また、制御部４は、回転操作が行われた後、確定指示を検知すると、回転操作の対象となったプレビュー画像ＰＧに対応する出力用ページを１８０°（または、９０°）だけ回転させる。
【０１０５】
図１６に示す状態から、消去ボタンＢ１１およびセーブボタンＢ１３をこの順番で操作すると、３ページ目のプレビュー画像ＰＧおよび４ページ目のプレビュー画像ＰＧにそれぞれ対応する２ページ分の出力用ページを消去することができる。また、図１６に示す状態から、回転ボタンＢ１２およびセーブボタンＢ１３をこの順番で操作すると、３ページ目のプレビュー画像ＰＧおよび４ページ目のプレビュー画像ＰＧにそれぞれ対応する２ページ分の出力用ページを回転させることができる。
【０１０６】
本実施形態では、上記のように、制御部４は、出力用ページに対応するプレビュー画像ＰＧを生成し、プレビュー画像ＰＧを操作パネル３に表示させる。これにより、ユーザーからすると、出力用ページの仕上がりを確認することができるので、利便性が良い。
【０１０７】
また、本実施形態では、上記のように、制御部４は、操作パネル３が削除指示を受け付けた場合、ユーザー指定のプレビュー画像ＰＧに対応する出力用ページを削除し、操作パネル３が回転指示を受け付けた場合、ユーザー指定のプレビュー画像ＰＧに対応する出力用ページを回転させる。これにより、冊子原稿ＢＤの見開きページの読み取り後、出力用ページのページデータ（１回分のブックスキャンジョブで得られた出力用ページを１まとめにしたＰＤＦデータ）を編集することができるので、ユーザーの利便性が向上する。
【０１０８】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１０９】
１  画像読取部
３  操作パネル
４  制御部
１００  画像形成装置
Ａ１  一方側領域
Ａ２  他方側領域
ＢＤ  冊子原稿
ＢＬ  境界線
ＣＡ  切取領域
ＤＡ  原稿領域
【図１】
2019129432.tif 000003
【図２】
2019129432.tif 000004
【図３】
2019129432.tif 000005
【図４】
2019129432.tif 000006
【図５】
2019129432.tif 000007
【図６】
2019129432.tif 000008
【図７】
2019129432.tif 000009
【図８】
2019129432.tif 000010
【図９】
2019129432.tif 000011
【図１０】
2019129432.tif 000012
【図１１】
2019129432.tif 000013
【図１２】
2019129432.tif 000014
【図１３】
2019129432.tif 000015
【図１４】
2019129432.tif 000016
【図１５】
2019129432.tif 000017
【図１６】
2019129432.tif 000018